(57)【特許請求の範囲】
【請求項１】
平面画像を拡大して投射結像させる投射用ズームレンズであって、
拡大側から順に、負の屈折力の第１群、正の屈折力の第２群、正の屈折力の第３群、正の屈折力の第４群、正の屈折力の第５群を配し、第３、第４群間に絞りを有してなり、
投射距離を変化させる際、平面画像と投射像とを共役に保つために第１群が光軸方向に移動を行い、
変倍に際し、第１群及び第５群が固定で、第２群、第３群、及び、第４群が光軸方向に移動を行い、
第１群の焦点距離：ｆ１、第２群の焦点距離：ｆ２、第３群の焦点距離：ｆ３、第５群の焦点距離：ｆ５、広角端における全系の焦点距離：ｆｗが、条件：
（１）  ０．７６＜ｆｗ／｜ｆ１｜＜１．４９
（２）  ０．２８＜｜ｆ１｜／ｆ２＜０．５０
（３）  ０．３４＜ｆｗ／ｆ３＜０．５０
（４）  ０．２２＜ｆｗ／ｆ５＜０．４０
を満足し、
第３群が、屈折率：１．７以上の材質による１枚のレンズで構成されたことを特徴とする投射用ズームレンズ。
【請求項２】
平面画像を拡大して投射結像させる投射用ズームレンズであって、
拡大側から順に、負の屈折力の第１群、正の屈折力の第２群、正の屈折力の第３群、負の屈折力の第４群、正の屈折力の第５群を配し、第３、第４群間に絞りを有してなり、
投射距離を変化させる際、平面画像と投射像とを共役に保つために第１群が光軸方向に移動を行い、
変倍に際し、第１群及び第５群が固定で、第２群、第３群、及び、第４群が光軸方向に移動を行い、
第１群の焦点距離：ｆ１、第２群の焦点距離：ｆ２、第３群の焦点距離：ｆ３、第５群の焦点距離：ｆ５、広角端における全系の焦点距離：ｆｗが、条件：
（５）  １．１０＜ｆｗ／｜ｆ１｜＜１．３５
（６）  ０．３６＜｜ｆ１｜／ｆ２＜０．４９
（７）  ０．５３＜ｆｗ／ｆ３＜０．６７
（８）  ０．４１＜ｆｗ／ｆ５＜０．４９
を満足することを特徴とする投射用ズームレンズ。
【請求項３】
請求項１または２記載のズームレンズにおいて、
第１群を構成するレンズ中の少なくとも１面が非球面であることを特徴とする投射用ズームレンズ。
【請求項４】
請求項２記載の投射用ズームレンズにおいて、
第３群が、屈折率：１．７以上の材質による１枚のレンズで構成されたことを特徴とする投射用ズームレンズ。
【請求項５】
請求項４記載の投射用ズームレンズにおいて、
第１群を構成するレンズ中の少なくとも１面が非球面であることを特徴とする投射用ズームレンズ。
【発明の詳細な説明】
【０００１】
【発明の属する技術分野】
この発明は投射用ズームレンズに関する。
【０００２】
【従来の技術】
液晶パネル上の画像を拡大投射する液晶プロジェクタは、コンピュータのデータやビデオ再生画像などの表示用として、広く普及している。なかでも、赤・青・緑の各色画像を別個の液晶パネルに表示する「３板式プロジェクタ」は画像が高精細であることから、普及率が高い。３板式プロジェクタにおける投射用レンズは、投射画像をスクリーンサイズに容易に合わせ得るように、ズーム機能を有するものが一般的である。
【０００３】
３板式プロジェクタに用いられる投射用ズームレンズには、一般に、以下のような属性が求められる。
【０００４】
即ち、赤色画像表示用、青色画像表示用、緑色画像表示用の３枚の液晶パネルにより強度変調された各光束を合成するため、ダイクロイックプリズムやダイクロイックミラー等の色合成手段を光源側に配備するため、焦点距離に比して長いバックフォーカスを有すること。
【０００５】
プロジェクタとして低電力で高い光利用効率を得ることが望ましく、低電力の光源でも明るい画像を表示できるように、光源からの光をなるべく多く取り込めるＦナンバーの小さい、明るいレンズであること。
【０００６】
色合成手段による各色画像光の光路合成時に、色合成手段に入射する光の角度が画角により異なると「色シェーディング」が発生し易いので、光源部から投射レンズに入射する光として、光軸に平行に近い光束を用いるのが好ましく、このため、縮小側、即ち、液晶パネル側においてテレセントリック性を持つこと。
【０００７】
スクリーン上で、緑、青、赤の３色画像を重ね合わせたとき、各色画像の画素が互いにずれると良好なカラー画像を実現できず、投射画像の辺縁部に緑、青、赤などの縁が現れて像質が損なわれる。このような投射画像の像質劣化を防ぐため、倍率色収差が小さく抑えられていること。
【０００８】
投射された画像の輪郭が歪んで見苦しくならないように、歪曲収差が許容できる範囲に抑えられていること。また、液晶パネルに表示された画像を忠実に再現できるように高いＭＴＦ、解像力を備えていること。
【０００９】
【発明が解決しようとする課題】
この発明は、少ないレンズ枚数で上記諸属性を良好に実現できる良好な性能を持つ、安価で小型な投射用ズームレンズの実現を課題とする。
【００１０】
【課題を解決するための手段】
この発明の投射用ズームレンズは「平面画像を拡大して投射結像させる投射用ズームレンズ」である。「平面画像」は、一般に液晶パネル上に表示された画像である。
【００１１】
請求項１記載の投射用ズームレンズは、図１に例示するように、拡大側（図の左方）から順に、負の屈折力の第１群Ｇ１、正の屈折力の第２群Ｇ２、正の屈折力の第３群Ｇ３、正の屈折力の第４群Ｇ４、正の屈折力の第５群Ｇ５を配し、第３、第４群間に絞りＳを有してなる。従って、全体の屈折力配分は「負・正・正・正・正」である。
【００１２】
投射距離を変化させる際には、平面画像と投射像とを共役に保つために第１群Ｇ１が光軸方向に移動を行う。
変倍に際しては、第１群Ｇ１及び第５群Ｇ５が固定で、第２群Ｇ２、第３群Ｇ３、及び、第４群Ｇ４が光軸方向に移動を行う。
【００１３】
第１群の焦点距離：ｆ１、第２群の焦点距離：ｆ２、第３群の焦点距離：ｆ３、第５群の焦点距離：ｆ５、広角端における全系の焦点距離：ｆｗは、条件：
（１）  ０．７６＜ｆｗ／｜ｆ１｜＜１．４９
（２）  ０．２８＜｜ｆ１｜／ｆ２＜０．５０
（３）  ０．３４＜ｆｗ／ｆ３＜０．５０
（４）  ０．２２＜ｆｗ／ｆ５＜０．４０
を満足する。そして、第３群Ｇ３は「屈折率：１．７以上の材質による１枚のレンズ」で構成される。
【００１４】
請求項２記載の投射用ズームレンズは、図２に例示するように、拡大側（図の左方）から順に、負の屈折力の第１群Ｇ１、正の屈折力の第２群Ｇ２、正の屈折力の第３群Ｇ３、負の屈折力の第４群Ｇ４、正の屈折力の第５群Ｇ５を配し、第３、第４群間に絞りＳを有してなる。したがって、全体の屈折力配分は「負・正・正・負・正」である。
【００１５】
投射距離を変化させる際には、平面画像と投射像とを共役に保つために第１群Ｇ１が光軸方向に移動を行う。
【００１６】
変倍に際しては、第１群Ｇ１及び第５群Ｇ５が固定で、第２群Ｇ２、第３群Ｇ３、及び、第４群Ｇ４が光軸方向に移動を行う。
【００１７】
第１群の焦点距離：ｆ１、第２群の焦点距離：ｆ２、第３群の焦点距離：ｆ３、第５群の焦点距離：ｆ５、広角端における全系の焦点距離：ｆｗは、条件：
（５）    １．１０＜ｆｗ／｜ｆ１｜＜１．３５
（６）    ０．３６＜｜ｆ１｜／ｆ２＜０．４９
（７）    ０．５３＜ｆｗ／ｆ３＜０．６７
（８）    ０．４１＜ｆｗ／ｆ５＜０．４９
を満足する。
【００１８】
即ち、上記請求項１、２の投射用ズームレンズは、第４群Ｇ４の屈折力が互いに逆であり、それに応じて、条件における各パラメータ：ｆｗ／｜ｆ１｜、｜ｆ１｜／ｆ２、ｆｗ／ｆ３、ｆｗ／ｆ５の範囲が異なっている。
【００１９】
なお、図１および図２において、符号ＰＲは色合成手段である「色合成プリズム」を示している。
【００２０】
上記請求項１または２記載の投射用ズームレンズにおいて、第１群Ｇ１を構成するレンズ中の少なくとも１面を非球面とすることができる（請求項３）。請求項２記載の投射用ズームレンズにおける、第３群Ｇ３も「屈折率：１．７以上の材質による１枚のレンズ」で構成することができ（請求項４）、この場合も、第１群Ｇ１を構成するレンズ中の少なくとも１面を非球面とすることが好ましい（請求項５）。
【００２１】
請求項１、２の投射用ズームレンズのように、拡大側から縮小側にかけて「負・正・正・正・正」あるいは「負・正・正・負・正」の屈折力配分を持つ、第１群Ｇ１〜第５群Ｇ５の構成とすることで、３板式プロジェクタに必要な長いバックフォーカスを確保するとともに、小さなＦＮｏ．と広画角を実現している。
【００２２】
条件（１）、（５）は、歪曲収差を良好に保つための条件で、上限を超えると、第１群の屈折力が強くなりすぎ、広角端における「負の歪曲収差」の発生が大きくなり補正困難となる。また下限を超えると、第１群の屈折率が弱くなりすぎ、第１群の外径を大きくせざるを得なくなってコンパクト化が困難になる。
【００２３】
条件（２）、（６）は、第１群、第２群において発生する球面収差を良好に保つための条件である。球面収差は、条件（２）、（６）の下限を超えると「レンズ側に倒れる」ように、また上限を超えると「レンズの反対側に倒れる」ように発生し、他の群での補正が困難となる。
【００２４】
条件（３）、（７）は、コマ収差を良好に保ちつつ、軸上色収差の変動量を押さえるための条件で、条件（３）、（７）の範囲を越えた場合は、コマ収差を良好に保ちつつ、軸上色収差の変動量を他の群で補正することが困難となる。
【００２５】
条件（４）、（８）は、縮小側におけるテレセントリック性を良好に保つための条件であり、条件（４）、（８）の範囲外では良好なテレセントリック性の実現が困難である。
【００２６】
また、通常は接合レンズを使用する第３群として「接合レンズ」を用いることができるが、屈折率：１．７以上の高屈折率の材質による１枚のレンズで第３群を構成することにより、より安価なレンズとすることができる。
【００２７】
さらに、第１群を構成するレンズの少なくとも１面を非球面とすることで、性能のより良好なレンズ、あるいはレンズ枚数の少ない安価なレンズとすることができる。
【００２８】
【発明の実施の形態】
以下、具体的な実施例を６例挙げる。
【００２９】
「記号」の説明
以下の各実施例中において使用する記号の意味は以下の通りである。
【００３０】
ｉ：面番号  面（レンズ面と絞りの面）が拡大側から数えて第ｉ番目であることを表す。
【００３１】
ＩＭＧ：液晶パネル面
Ｒｉ：面番号：ｉの面の曲率半径
Ｄｉ：拡大側から数えて第ｉ番目の面と第ｉ＋１番目の面の軸上面間隔
ｊ：レンズ番号。レンズが拡大側から数えて第ｊ番目であることを表す。
【００３２】
Ｎｊ：拡大側から数えて第ｊ番目のレンズのｄ線に対する屈折率
νｊ：拡大側から数えて第ｊ番目のレンズのアッベ数
Ｄｏ：スクリーン（投射画像の投射面）から第１レンズ面までの距離    。
【００３３】
また、非球面は、光軸方向の座標：Ｚ、光軸直交方向の座標：ｈ、軸上曲率半径：Ｒｉ、円錐定数：Ｋ、高次の係数：Ａ，Ｂ，Ｃ，・・を用いる周知の式：
Ｚ＝（１／Ｒｉ）・ｈ2／［１＋√｛１−（Ｋ＋１)・（１／Ｒｉ）2・ｈ2｝］＋Ａ・ｈ4＋Ｂ・ｈ6＋Ｃ・ｈ8＋Ｄ・ｈ10＋Ｅ・ｈ12＋Ｆ・ｈ1４
で表し、軸上曲率半径：Ｒｉ、円錐定数：Ｋ、高次の係数：Ａ，Ｂ，Ｃ，・・等を与えて形状を特定する。
【００３４】
なお、計算基準波長は５５０ｎｍである。また、長さの元を持つ量の単位はｍｍである。
【００３５】
【実施例】
実施例１
0004188595.tif 000002
非球面
（＊）印を付した面が非球面であり、非球面係数は以下のとおりである。
【００３６】
K=-0.208088，A=-0.130389E-04，B=-0.125680E-06，C= 0.392523E-09，
D=-0.271241E-11，E=-0.288000E-14
上の非球面の表示において例えば「E-14」は「10−１４」を意味し、この数値がその直前の数値にかかる。以下同様である。
【００３７】
また、第２０面、第２１面は色合成プリズムの面を示す。
【００３８】
可変量
焦点距離       20.261     22.437      24.576
Ｄ５           3.857      3.457       3.295
Ｄ７          10.608      5.574       1.000
Ｄ１０        10.545     12.090      13.738
Ｄ１７         1.000      4.889       7.977
条件式の各パラメータの値：
ｆｗ／｜ｆ１｜＝１．４７
｜ｆ１｜／ｆ２＝０．４６
ｆｗ／ｆ３＝０．４６
ｆｗ／ｆ５＝０．２４                                  。
【００３９】
実施例１のレンズの、広角端における断面図を図３に、望遠端における断面図を図４に示す。
また、実施例１のレンズの、広角端における縦収差図を図５、望遠端における縦収差図を図６、広角端における横収差図を図７、望遠端における横収差図を図８にそれぞれ示す。
【００４０】
実施例２
0004188595.tif 000003
非球面
（＊）印を付した面が非球面であり、非球面係数は以下のとおりである。
K= -0.145477，A=-0.161405E-04，B=-0.122805E-06，C= 0.410606E-09，
D=-0.338498E-11
第２０面、第２１面は色合成プリズムの面を示す。
可変量
焦点距離       20.261     22.413      24.552
Ｄ５           3.288      3.258       3.312
Ｄ７          13.578      7.483       1.897
Ｄ１０        15.098     16.429      17.901
Ｄ１７         2.734      7.528      11.588
条件式の各パラメータの値：
ｆｗ／｜ｆ１｜＝１．３８
｜ｆ１｜／ｆ２＝０．４８
ｆｗ／ｆ３＝０．３６
ｆｗ／ｆ５＝０．３８                                    。
【００４１】
実施例２のレンズの、広角端における断面図を図９に、望遠端における断面図を図１０に示す。
また、実施例２のレンズの、広角端における縦収差図を図１１、望遠端における縦収差図を図１２、広角端における横収差図を図１３、望遠端における横収差図を図１４にそれぞれ示す。
【００４２】
実施例３
0004188595.tif 000004
非球面
（＊）印を付した面が非球面であり、非球面係数は以下のとおりである。
K=  0.001007，A=-0.917321E-05，B=-0.110321E-06，C= 0.459880E-09，
D=-0.201970E-11
第２０面、第２１面は，色合成プリズムの面を示す。
【００４３】
可変量
焦点距離       20.261     22.449      24.590
Ｄ５          12.130     12.542      13.119
Ｄ７          12.584      6.562       1.000
Ｄ１０        14.874     15.887      17.093
Ｄ１７         1.000      5.596       9.376
条件式の各パラメータの値：
ｆｗ／｜ｆ１｜＝０．７８
｜ｆ１｜／ｆ２＝０．３１
ｆｗ／ｆ３＝０．４７
ｆｗ／ｆ５＝０．３８                                            。
【００４４】
実施例３のレンズの、広角端における断面図を図１５に、望遠端における断面図を図１６に示す。
また、実施例３のレンズの、広角端における縦収差図を図１７、望遠端における縦収差図を図１８、広角端における横収差図を図１９、望遠端における横収差図を図２０にそれぞれ示す。
【００４５】
実施例４
0004188595.tif 000005
非球面
（＊）印を付した面が非球面であり、非球面係数は以下のとおりである。
K=-0.817954，A= 0.571226E-05，B=-0.406228E-07，C= 0.471796E-09，
D=-0.261004E-11，E= 0.631208E-14，F=-0.408556E-17
第１８面、第１９面は色合成プリズムの面を示す。
【００４６】
可変量
焦点距離       26.258     28.766      31.523
Ｄ５           8.060      8.168       8.433
Ｄ７          11.409      6.322       1.000
Ｄ１０        14.249     15.244      16.252
Ｄ１５         3.212      7.197      11.245
条件式の各パラメータの値：
ｆｗ／｜ｆ１｜＝１．１１
｜ｆ１｜／ｆ２＝０．３７
ｆｗ／ｆ３＝０．６４
ｆｗ／ｆ５＝０．４６                                    。
【００４７】
実施例４のレンズの、広角端における断面図を図２１に、望遠端における断面図を図２２に示す。
また、実施例４のレンズの、広角端における縦収差図を図２３、望遠端における縦収差図を図２４、広角端における横収差図を図２５、望遠端における横収差図を図２６にそれぞれ示す。
【００４８】
実施例５
0004188595.tif 000006
非球面
（＊）印を付した面が非球面であり、非球面係数は以下のとおりである。
K = -0.964078，A= 0.327579E-05，B=-0.446478E-07，C= 0.448120E-09，
D=-0.257618E-11，E= 0.684980E-14，F=-0.613574E-17
第１８面、第１９面は色合成プリズムの面を示す。
【００４９】
可変量
焦点距離       26.253     28.761      31.518
Ｄ５           6.689      6.387       6.215
Ｄ７          11.853      6.479       1.000
Ｄ１０        13.680     14.714      15.798
Ｄ１５         2.767      7.410      11.975
条件式の各パラメータの値：
ｆｗ／｜ｆ１｜＝１．３３
｜ｆ１｜／ｆ２＝０．４７
ｆｗ／ｆ３＝０．５５
ｆｗ／ｆ５＝０．４５                            。
【００５０】
実施例５のレンズの、広角端における断面図を図２７に、望遠端における断面図を図２８に示す。
また、実施例５のレンズの、広角端における縦収差図を図２９、望遠端における縦収差図を図３０、広角端における横収差図を図３１、望遠端における横収差図を図３２にそれぞれ示す。
【００５１】
実施例６
0004188595.tif 000007
非球面
（＊）印を付した面が非球面であり、非球面係数は以下のとおりである。
K=-1.101050，A= 0.119956E-05，B=-0.247068E-07，C= 0.240040E-09，
D=-0.217442E-11，E= 0.108779E-13，F=-0.210411E-16
第１８面、第１９面は色合成プリズムの面を示す。
【００５２】
可変量
焦点距離       26.260     28.766      31.519
Ｄ５           6.351      5.947       5.707
Ｄ７          10.931      6.053       1.000
Ｄ１０         8.976      9.997      10.990
Ｄ１５         1.000      5.261       9.561
条件式の各パラメータの値：
ｆｗ／｜ｆ１｜＝１．３２
｜ｆ１｜／ｆ２＝０．４６
ｆｗ／ｆ３＝０．６１
ｆｗ／ｆ５＝０．４２                                    。
【００５３】
実施例６のレンズの、広角端における断面図を図３３に、望遠端における断面図を図３４に示す。
また、実施例６のレンズの、広角端における縦収差図を図３５、望遠端における縦収差図を図３６、広角端における横収差図を図３７、望遠端における横収差図を図３８にそれぞれ示す。
【００５４】
実施例１、２、３に関する各収差図において、「Ｇ」は波長：５５０．０ｎｍでの収差、「Ｒ」は波長：６２０．０ｎｍでの収差、「Ｂ」は波長：４６０．０ｎｍでの収差を示し、実施例４、５、６に関する各収差図において、「Ｇ」は波長：５５０．０ｎｍでの収差、「Ｒ」は波長：６１０．０ｎｍでの収差、「Ｂ」は波長：４６０．０ｎｍでの収差を示す。
【００５５】
また、実施例１〜６に関する各収差図において、「Ｓ」は波長：５５０．０ｎｍでのサジタル像面、「Ｔ」は波長：５５０．０ｎｍでのタンジェンシァル像面を示す。
【００５６】
変倍に伴なう第２群Ｇ２〜第４群Ｇ４の変位の方向および大きさは、各実施例における可変量に示された面間隔により明らかであるが、「各群の移動は単調」に行われる。
【００５７】
上に挙げた実施例１〜６は「平面画像を拡大して投射結像させる投射用ズームレンズ」であって、実施例１〜３は、拡大側から順に、負の屈折力の第１群Ｇ１、正の屈折力の第２群Ｇ２、正の屈折力の第３群Ｇ３、正の屈折力の第４群Ｇ４、正の屈折力の第５群Ｇ５を配し、第３、第４群間に絞りＳを有してなり、投射距離を変化させる際、平面画像と投射像とを共役に保つために第１群Ｇ１が光軸方向に移動を行い、変倍に際し、第１群Ｇ１及び第５群Ｇ５が固定で、第２群Ｇ２、第３群Ｇ３、及び、第４群Ｇ４が光軸方向に移動を行い、第１群の焦点距離：ｆ１、第２群の焦点距離：ｆ２、第３群の焦点距離：ｆ３、第５群の焦点距離：ｆ５、広角端における全系の焦点距離：ｆｗが、条件：
（１）  ０．７６＜ｆｗ／｜ｆ１｜＜１．４９
（２）  ０．２８＜｜ｆ１｜／ｆ２＜０．５０
（３）  ０．３４＜ｆｗ／ｆ３＜０．５０
（４）  ０．２２＜ｆｗ／ｆ５＜０．４０
を満足するものであり、第３群Ｇ３が、屈折率：１．７以上の材質による１枚のレンズで構成されている（請求項１）。
【００５８】
また、実施例４〜６は、拡大側から順に、負の屈折力の第１群Ｇ１、正の屈折力の第２群Ｇ２、正の屈折力の第３群Ｇ３、負の屈折力の第４群Ｇ４、正の屈折力の第５群Ｇ５を配し、第３、第４群間に絞りＳを有してなり、投射距離を変化させる際、平面画像と投射像とを共役に保つために第１群Ｇ１が光軸方向に移動を行い、変倍に際し、第１群Ｇ１及び第５群Ｇ５が固定で、第２群Ｇ２、第３群Ｇ３、及び、第４群Ｇ４が光軸方向に移動を行い、第１群の焦点距離：ｆ１、第２群の焦点距離：ｆ２、第３群の焦点距離：ｆ３、第５群の焦点距離：ｆ５、広角端における全系の焦点距離：ｆｗが、条件：
（５）    １．１０＜ｆｗ／｜ｆ１｜＜１．３５
（６）    ０．３６＜｜ｆ１｜／ｆ２＜０．４９
（７）    ０．５３＜ｆｗ／ｆ３＜０．６７
（８）    ０．４１＜ｆｗ／ｆ５＜０．４９
を満足するものである（請求項２）。
【００５９】
そして、実施例１〜６とも、第１群Ｇ１を構成するレンズ中の少なくとも１面が非球面であり（請求項３、５）、実施例３〜６も、第３群Ｇ３が、屈折率：１．７以上の材質による１枚のレンズで構成されている（請求項４）。
【００６０】
各収差図に見られるように、実施例１〜６の何れにおいても、広角端、望遠端において縦収差・横収差ともに良好に補正され、性能良好であり、色合成手段である色合成プリズム配設のための十分に大きなバックフォーカスを有している。
実施例１〜６とも、第１群の最も拡大側にあるレンズ（拡大側から数えて第１番目のレンズ）は、ハイブリッドレンズとして構成され、非球面は何れも、この第１番目のレンズの縮小側のレンズ面に貼着された樹脂膜（第２番目のレンズ）の縮小側の面として形成されている。このように非球面を有するレンズをハイブリッドレンズとすることも、投射用ズームレンズの低コスト化に有効である。
【００６１】
また、各実施例とも、８枚（実施例４、５、６）〜９枚（実施例１、２、３）構成（何れも１枚はハイブリッドレンズ）と少ないレンズ枚数で構成され、コンパクトであり、安価に実現可能である。
【００６２】
【発明の効果】
以上に説明したように、この発明によれば新規な投射用ズームレンズを提供できる。この発明の投射用ズームレンズは、上記各実施例に見られるように、少ないレンズ枚数で安価且つコンパクトに実現でき、なお且つ性能良好であって、投射用ズームレンズに要請される諸属性をきわめて良好に実現できている。
【図面の簡単な説明】
【図１】請求項１記載の投射用ズームレンズの１例の断面図を示す図である。
【図２】請求項２記載の投射用ズームレンズの１例の断面図を示す図である。
【図３】実施例１の投射用ズームレンズの広角端における断面図を示す図である。
【図４】実施例１の投射用ズームレンズの望遠端における断面図を示す図である。
【図５】実施例１の投射用ズームレンズの広角端における縦収差図である。
【図６】実施例１の投射用ズームレンズの望遠端における縦収差図である。
【図７】実施例１の投射用ズームレンズの広角端における横収差図である。
【図８】実施例１の投射用ズームレンズの望遠端における横収差図である。
【図９】実施例２の投射用ズームレンズの広角端における断面図を示す図である。
【図１０】実施例２の投射用ズームレンズの望遠端における断面図を示す図である。
【図１１】実施例２の投射用ズームレンズの広角端における縦収差図である。
【図１２】実施例２の投射用ズームレンズの望遠端における縦収差図である。
【図１３】実施例２の投射用ズームレンズの広角端における横収差図である。
【図１４】実施例２の投射用ズームレンズの望遠端における横収差図である。
【図１５】実施例３の投射用ズームレンズの広角端における断面図を示す図である。
【図１６】実施例３の投射用ズームレンズの望遠端における断面図を示す図である。
【図１７】実施例３の投射用ズームレンズの広角端における縦収差図である。
【図１８】実施例３の投射用ズームレンズの望遠端における縦収差図である。
【図１９】実施例３の投射用ズームレンズの広角端における横収差図である。
【図２０】実施例３の投射用ズームレンズの望遠端における横収差図である。
【図２１】実施例４の投射用ズームレンズの広角端における断面図を示す図である。
【図２２】実施例４の投射用ズームレンズの望遠端における断面図を示す図である。
【図２３】実施例４の投射用ズームレンズの広角端における縦収差図である。
【図２４】実施例４の投射用ズームレンズの望遠端における縦収差図である。
【図２５】実施例４の投射用ズームレンズの広角端における横収差図である。
【図２６】実施例４の投射用ズームレンズの望遠端における横収差図である。
【図２７】実施例５の投射用ズームレンズの広角端における断面図を示す図である。
【図２８】実施例５の投射用ズームレンズの望遠端における断面図を示す図である。
【図２９】実施例５の投射用ズームレンズの広角端における縦収差図である。
【図３０】実施例５の投射用ズームレンズの望遠端における縦収差図である。
【図３１】実施例５の投射用ズームレンズの広角端における横収差図である。
【図３２】実施例５の投射用ズームレンズの望遠端における横収差図である。
【図３３】実施例６の投射用ズームレンズの広角端における断面図を示す図である。
【図３４】実施例６の投射用ズームレンズの望遠端における断面図を示す図である。
【図３５】実施例６の投射用ズームレンズの広角端における縦収差図である。
【図３６】実施例６の投射用ズームレンズの望遠端における縦収差図である。
【図３７】実施例６の投射用ズームレンズの広角端における横収差図である。
【図３８】実施例６の投射用ズームレンズの望遠端における横収差図である。
【符号の説明】
Ｇ１  第１群
Ｇ２  第２群
Ｇ３  第３群
Ｇ４  第４群
Ｇ５  第５群
Ｓ    絞り
ＰＲ  色合成プリズム（色合成手段）
【図１】
0004188595.tif 000008
【図２】
0004188595.tif 000009
【図３】
0004188595.tif 000010
【図４】
0004188595.tif 000011
【図５】
0004188595.tif 000012
【図６】
0004188595.tif 000013
【図７】
0004188595.tif 000014
【図８】
0004188595.tif 000015
【図９】
0004188595.tif 000016
【図１０】
0004188595.tif 000017
【図１１】
0004188595.tif 000018
【図１２】
0004188595.tif 000019
【図１３】
0004188595.tif 000020
【図１４】
0004188595.tif 000021
【図１５】
0004188595.tif 000022
【図１６】
0004188595.tif 000023
【図１７】
0004188595.tif 000024
【図１８】
0004188595.tif 000025
【図１９】
0004188595.tif 000026
【図２０】
0004188595.tif 000027
【図２１】
0004188595.tif 000028
【図２２】
0004188595.tif 000029
【図２３】
0004188595.tif 000030
【図２４】
0004188595.tif 000031
【図２５】
0004188595.tif 000032
【図２６】
0004188595.tif 000033
【図２７】
0004188595.tif 000034
【図２８】
0004188595.tif 000035
【図２９】
0004188595.tif 000036
【図３０】
0004188595.tif 000037
【図３１】
0004188595.tif 000038
【図３２】
0004188595.tif 000039
【図３３】
0004188595.tif 000040
【図３４】
0004188595.tif 000041
【図３５】
0004188595.tif 000042
【図３６】
0004188595.tif 000043
【図３７】
0004188595.tif 000044
【図３８】
0004188595.tif 000045